(57)【要約】      （修正有）【課題】大きさ（面積）や平面形状を自由に変えることのできるタオルを提供する。【解決手段】タオル１００を、タオル生地で形成された本体部１１０と、本体部１１０の縁に取り付けられたファスナー１２０とで構成する。【選択図】図１
2019216878.tif 000002
【特許請求の範囲】
【請求項１】
タオル生地で形成された本体部と、
前記本体部の縁に取り付けられたファスナーとを備えるタオル。
【請求項２】
前記ファスナーは、他のタオルに設けられた他のファスナーと互いに係合する
請求項１に記載のタオル。
【請求項３】
前記ファスナーは、前記他のファスナーの途中部に取り付けることができる
請求項２に記載のタオル。
【請求項４】
前記ファスナーはスライダーを有しており、前記スライダーは前記ファスナーを前記他のファスナーに取り付けた後で前記ファスナーから取り外すことができる
請求項２または３に記載のタオル。
【発明の詳細な説明】
【技術分野】
【０００１】
本発明は、大きさや形を自由に変えることのできるタオルに関する。
【背景技術】
【０００２】
様々な使用状況に合わせて自由に形状を変えることができ、任意の場所に掛止することのできるタオルが従前より開発されている（例えば、特許文献１）。
【０００３】
特許文献１に係るタオルは、当該タオルの縁部に柔軟性金属の太線材を掛着して構成されており、掛着された太線材を任意の形状に曲げることにより、それに伴ってタオル自体の形状も変えることができるようになっている。
【先行技術文献】
【特許文献】
【０００４】
【特許文献１】登録実用新案第３０６６５４９号公報
【発明の概要】
【発明が解決しようとする課題】
【０００５】
しかしながら、特許文献１に係るタオルでは、太線材を曲げることができる範囲内で、１枚のタオルの形状を変えられるにすぎず、タオル自体の大きさ（面積）や平面形状を変えられるようなものではなかった。
【０００６】
したがって、本発明の目的は、大きさ（面積）や平面形状を自由に変えることのできるタオルを提供することにある。
【課題を解決するための手段】
【０００７】
本発明の一局面に従うと、
タオル生地で形成された本体部と、
前記本体部の縁に取り付けられたファスナーとを備えるタオルが提供される。
【０００８】
好適には、前記ファスナーは、他のタオルに設けられた他のファスナーと互いに係合する。
【０００９】
好適には、前記ファスナーは、前記他のファスナーの途中部に取り付けることができるようになっている。
【００１０】
前記ファスナーはスライダーを有しており、前記スライダーは前記ファスナーを前記他のファスナーに取り付けた後で前記ファスナーから取り外すことができるようになっている。
【発明の効果】
【００１１】
本発明によれば、大きさ（面積）や平面形状を自由に変えることのできるタオルを提供できた。
【図面の簡単な説明】
【００１２】
【図１】本発明が適用された実施形態に係るタオル１００の一例を示す正面図である。
【図２】ファスナー１２０のテープ１１２の長さが本体部１１０の縁の長さとほぼ同じである場合の一例を示す正面図である。
【図３】ファスナー１２０のテープ１１２の長さが本体部１１０の縁の長さよりも短い場合の一例を示す正面図である。
【図４】２枚のタオル１００を組み合わせた状態の一例を示す正面図である。
【図５】大きさが異なる３枚のタオル１００を組み合わせた状態（スライダー１２６を外した状態）の一例を示す正面図である。
【発明を実施するための形態】
【００１３】
図１は、本実施形態に係るタオル１００を示している。タオル１００は、大略、本体部１１０と、ファスナー１２０とを備えている。
【００１４】
本体部１１０は、タオル生地で構成された矩形状の部材である。もちろん、本体部１１０の形状は矩形状に限定されるものではなく、三角形や五角形といった多角形状、あるいは、略円形などであってもよい。
【００１５】
ファスナー１２０は、他のファスナーと係合したり分離したりできる部材であり、本体部１１０の縁（図１の例では、本体部１１０における４つの縁（辺）のうちの２つ）に取り付けられている。
【００１６】
このようなファスナー１２０は、大略、テープ１２２と、エレメント１２４と、スライダー１２６とで構成されている。
【００１７】
テープ１２２は、例えばポリエステル繊維等の合成繊維や、綿糸等で形成された帯状あるいは短冊状の部材であり、その一部が本体部１１０の縁に対して熱圧着等の手段で取り付けられる。もちろん、熱圧着に限定されるものではなく、縫い付けやボタンやハトメ等の手段で本体部１１０に取り付けられてもよい。
【００１８】
また、テープ１２２の長さは、図２に示すように、当該テープ１２２が取り付けられる本体部１１０の縁の長さとほぼ同じに設定してもよいし、逆に、図３に示すように、本体部１１０の縁の長さよりも短く設定してもよい。
【００１９】
エレメント１２４は、テープ１２２における本体部１１０に取り付けられた部分とは反対側の端部に配設された鋸歯状の部材であり、他のファスナーに設けられたエレメントと係合したり分離したりできるようになっている。
【００２０】
スライダー１２６は、エレメント１２４と他のファスナーに設けられたエレメントとを互いに係合したり分離したりするための部材である。このスライダー１２６は、エレメント１２４の一方端から他方端までスライド移動することにより、当該エレメント１２４と他のファスナーに設けられたエレメントとを係合・分離する。
【００２１】
スライダー１２６は、エレメント１２４の端で止まって当該エレメント１２４から分離しないタイプのものを使用してもよいし、エレメント１２４から分離させることのできるタイプのものを使用してもよい。また、２つのエレメント１２４を互いに係合させたスライダー１２６をこれらエレメント１２４から分離させた後、２つのエレメント１２４が端部から不所望に分離するのを避けるため、エレメント１２４の端部にクリップを取り付けることが考えられる。さらに言えば、左右のどちらからでもスライダー１２６を取り付け・取り外しできるようにするのが好適である。
【００２２】
本実施形態に係るタオル１００によれば、図４に示すように、ファスナー１２０を用いて複数のタオル１００を組み合わせることにより、大きさ（面積）や平面形状を自由に変えることができる。
【００２３】
また、図５に示すように、図中２枚のタオル１００に取り付けられたファスナー１２０が、横長のタオル２００に取り付けられたファスナー２２０よりも短いような場合において、短い方のファスナー１２０が長い方のファスナー２２０のどの場所にでも係合させられることができるようにするのが好適である。
【００２４】
これにより、例えば、複数のタオル１００を組み合わせて面積の大きな入浴後のバスタオルとして使用し、使用後は面積の小さい個々のタオル１００に分離してコンパクトに洗濯したり、部屋干ししたりすることができる。
【００２５】
また、小さな子供用には１枚のタオル１００を使用し、大人用には複数のタオル１００を組み合わせて使用するなど、使用者の体型に応じた大きさのタオル１００にすることができる。
【００２６】
さらに、複数のタオル１００を組み合わせて使用している場合において、一部のタオル１００が汚れたり破れたりした場合、その一部のタオル１００だけを別のタオル１００に交換することで、残りのタオル１００まで廃棄する必要がなくなり、資源を無駄なく使用できる。
【００２７】
また、複数のタオル１００を組み合わせて、使用者の好みのデザイン（色柄や形状）にすることができる。
【００２８】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００２９】
１００…タオル
１１０…本体部
１２０…ファスナー、１２２…テープ、１２４…エレメント、１２６…スライダー
２００…タオル、２２０…ファスナー
【図１】
2019216878.tif 000003
【図２】
2019216878.tif 000004
【図３】
2019216878.tif 000005
【図４】
2019216878.tif 000006
【図５】
2019216878.tif 000007